(57)【要約】【課題】容易に手術室で用いるモニターに取り付けることができ、モニターに取り付けた際に画面上に皺の生じないモニター用カバーを提供する。【解決手段】手術室で用いるモニターの少なくとも画面表示部を覆うモニター用カバーであって、前記画面表示部を覆う略矩形状の画面被覆部と、前記画面被覆部の各縁部から、前記画面表示部と略直交する方向に延設される複数の側面部とを備え、隣り合う前記側面部は、前記画面被覆部と略直交する方向に沿って連続している。【選択図】図２
2015192791.tif 000002
【特許請求の範囲】
【請求項１】
手術室で用いるモニターの少なくとも画面表示部を覆うモニター用カバーであって、
前記画面表示部を覆う略矩形状の画面被覆部と、前記画面被覆部の各縁部から、前記画面表示部と略直交する方向に延設される複数の側面部とを備え、
隣り合う前記側面部は、前記画面被覆部と略直交する方向に沿って連続していることを特徴とするモニター用カバー。
【請求項２】
請求項１に記載のモニター用カバーにおいて、
前記側面部の端縁部に沿って引き絞り自在に配置された絞り部を備えることを特徴とするモニター用カバー。
【請求項３】
請求項２に記載のモニター用カバーにおいて、
前記絞り部は、前記端縁部に沿って複数形成される開口部を介して引き絞られることを特徴とするモニター用カバー。
【請求項４】
請求項２又は３に記載のモニター用カバーにおいて、
前記絞り部は、前記側面部の端縁を折り返して筒状に形成された筒状袋部に挿通されることを特徴とするモニター用カバー。
【請求項５】
請求項１から４のいずれか１項に記載のモニター用カバーにおいて、
前記画面被覆部は、前記画面表示部の大きさと略等しいことを特徴とするモニター用カバー。
【請求項６】
請求項１から５のいずれか１項に記載のモニター用カバーにおいて、
少なくとも前記画面被覆部は、ポリエチレンテレフタラート、ポリアミド、ポリエチレン、ポリウレタンおよびポリカーボネートからなる群から選択される材料からなることを特徴とするモニター用カバー。
【発明の詳細な説明】
【技術分野】
【０００１】
本発明は、手術室で用いられるモニター用カバーに関し、具体的には、モニターに対して容易に且つ皺なく取り付けることができるモニター用カバーに関する。
【背景技術】
【０００２】
近年、検査と手術を同時に行うために、観血的な外科治療を行う従来の手術室の機能に加え、経皮的な内科治療を行うための画像診断機器などの機能を組み合わせて超低侵襲治療を行うハイブリット手術室が知られている。
【０００３】
このようなハイブリット手術室は、画像診断器などの種々の機器を用いて行われるものであり、外科手術中の汚染を防止するためにこれらの機器を無菌状態にする（清潔野にする）必要がある。
【０００４】
また、従来から手術室内で用いられる機器は、患者に隣接して配置されるため、後述する汚染を防止するために清潔野にする手段として滅菌済みのドレープやカバー（以下、本明細書において「滅菌済みカバー等」と称する）を被せて使用することが行われている。
【０００５】
この滅菌済みカバー等は、手術室内で清潔野と規定される領域において、不潔と規定される患者や医療用装置等と、当該清潔野の領域（空間）とを隔離するために用いられる覆布である。特に、外科手術の際、切開される箇所（術野）を清潔に保つことは、患者が術中に何らかの菌等から感染することを予防する上で重要であり、術野と、それ以外を滅菌済みカバー等により隔離する必要がある。また、手術の際に飛散する血液や体液等をバリヤするために、患者の術野とそれ以外の部分とを隔離するものでもある。
【０００６】
なお、手術室内には、手術を受ける患者が寝かせられる手術台が設置されており、手術台周囲がいわゆる清潔野とされている。この清潔野とは、例えば、当該手術において、執刀医、器械出し看護師および手術助手がその手術に関する活動を行うことが認められている、手術室内の一定の領域をいう。通常、清潔野は、手術台（患者術野）を中心とした空間的（三次元的）な領域である。
【０００７】
これに対し、手術に関わる他の看護師であるいわゆる外回り看護師等が活動する手術室内の清潔野以外の領域等は、不潔野と称される。例えば、医師の腰より下方位置、および、手術台の真下付近の床であっても、清潔野以外の不潔野となる。なお、ここに不潔野とは、一般にいう「不潔な場所」という意味ではない。
【０００８】
従来から手術室において、患者に隣接して配置される機器としては、例えば、Ｃアーム型の外科用Ｘ線装置が挙げられる。Ｃアーム型の外科用Ｘ線装置は、手術台の上下を挟むようにアームを配置してアーム先端から照射されるＸ線を用いてＸ線撮影を行うものであり、このとき、手術台の上部に位置する機器部分には滅菌済みカバー等を被せて清潔野にする必要がある。当該滅菌済みカバー等は、袋状のカバーの開口部の外縁に沿ってゴムなどの弾性材料を配置して収縮自在に形成したものであり、滅菌の必要な機器部分に適宜被せて清潔野とすることができる構造となっている。
【０００９】
さらに外科手術ロボットなどに用いられる滅菌済みカバー等は具体的には、下記特許文献１に記載されているように、外科手術用ロボットシステムの非滅菌部分を覆う滅菌済みカバー等であって、外科手術を行うための滅菌野に隣接する外面と、該外科手術用ロボットシステムの該非滅菌部分を受容するキャビティを形成する内面と、該滅菌済みカバー等の容積を減らしつつ該外科手術用ロボットシステムの該非滅菌部分に該滅菌済みカバー等を固定するための、該外面に連結されたファスナーとを備えるという構造を有している。
【００１０】
このように構成された滅菌済みカバー等を用いることで、外科手術時における最大限の外科手術用ロボットシステムの動作の自由度及び視認性を確保しつつ、簡単に設置され、設置時間を最小限に短縮することができる。
【先行技術文献】
【特許文献】
【００１１】
【特許文献１】特開２００９−５０９６５３号公報
【発明の概要】
【発明が解決しようとする課題】
【００１２】
上述したように、ハイブリッド手術室では、画像診断器などのモニターに表示された画像を見ながら手術を行うものであり、モニターを医師が確認しやすいように医師に隣接して配置したいという要望がある。このとき、モニターは上述した理由により不潔とみなされるため、清潔者である医師や看護師に隣接して配置するのであれば、滅菌済みカバー等で覆って清潔野にすることが必要となる。
【００１３】
しかしながら、従来の滅菌済みカバー等は、単に清潔野にするために対象物に被せる構造となっているため、モニターに被せた場合に皺が生じて画面が見にくくなるという問題が生じる。さらに、ハイブリッド手術室では手術と検査を同時に行うことから、医師が滅菌済みカバー等を取り付けたモニターの画面に直接皮膚ペンなどの水性ペンを用いて書込みを行いたいという要望がある。この点、特許文献１に記載の滅菌済みカバー等は、外科手術用ロボットシステムに取り付けられた際に、視認性の確保がなされているものの、ファスナーを使用して外科手術用ロボットシステムに固定しているので、モニターの画面上に皺などが生じてしまい、上述した書込み作業を行う場合、書き込むことができない若しくは書き込むことで画面表示と滅菌済みカバー等とがずれてしまうといった支障を来すという問題があった。
【００１４】
そこで、本発明はこのような問題を解決するためになされたものであり、具体的には、容易に手術室で用いるモニターに取り付けることができ、モニターに取り付けた際に画面上に皺の生じないモニター用カバーを提供することを目的とする。
【課題を解決するための手段】
【００１５】
上記課題を解決する本発明に係るモニター用カバーは、手術室で用いるモニターの少なくとも画面表示部を覆うモニター用カバーであって、前記画面表示部を覆う略矩形状の画面被覆部と、前記画面被覆部の各縁部から、前記画面表示部と略直交する方向に延設される複数の側面部とを備え、隣り合う前記側面部は、前記画面被覆部と略直交する方向に沿って連続していることを特徴とする。
【００１６】
また、本発明に係るモニター用カバーにおいて、前記側面部の端縁部に沿って引き絞り自在に配置された絞り部を備えると好適である。
【００１７】
また、本発明に係るモニター用カバーにおいて、前記絞り部は、前記端縁部に沿って複数形成される開口部を介して引き絞られると好適である。
【００１８】
また、本発明に係るモニター用カバーにおいて、前記絞り部は、前記側面部の端縁を折り返して筒状に形成された筒状袋部に挿通されると好適である。
【００１９】
また、本発明に係るモニター用カバーにおいて、前記画面被覆部は、前記画面表示部の大きさと略等しいと好適である。
【００２０】
また、本発明に係るモニター用カバーにおいて、少なくとも前記画面被覆部は、ポリエチレンテレフタラート、ポリアミド、ポリエチレン、ポリウレタンおよびポリカーボネートからなる群から選択される材料からなると好適である。
【発明の効果】
【００２１】
本発明によれば、隣り合う側面部が画面被覆部と略直交する方向に沿って連続しているので、不潔者が滅菌済みカバー等の清潔部分に触れることなく、清潔者が滅菌済みカバー等の不潔部分もしくはモニターに触れることもなく、容易に手術室で用いるモニターにモニター用カバーを取り付けることができる。
【００２２】
また、本発明によれば、側面部の端縁部に沿って引き絞り自在に配置された絞り部を備えているので、手術室で用いるモニターの画面表示部を覆う画面被覆部に皺が生じることなくモニター用カバーをモニターに取り付けることができる。
【００２３】
また、本発明によれば、絞り部は端縁部に沿って複数形成された開口部を介して引き絞られるので、開口部から引き出した絞り部をモニターが固定されるフレーム等の任意の場所へ引掛けることで、画面被覆部に皺を生じることがない。
【００２４】
また、本発明によれば、絞り部は側面部の端縁を折り返して筒状に形成された筒状袋部に挿通されるので、容易に絞り部を構成することができる。
【００２５】
また、本発明によれば、画面被覆部と画面表示部の大きさは略等しく形成されているので、画面被覆部に皺を生じることなく容易にモニターにモニター用カバーを取り付けることができる。
【００２６】
また、本発明によれば、少なくとも画面被覆部がポリエチレン、ポリウレタンおよびポリカーボネートからなる群から選択される材料からなるので、皮膚ペンなどの水性ペンを用いて画面被覆部に容易に書込みおよびすでに書き込んだ文字等を消去して書き直しを行うことができる。
【図面の簡単な説明】
【００２７】
【図１】本実施形態に係るモニター用カバーの使用状態を説明するための概略図。
【図２】本実施形態に係るモニター用カバーの構成を説明するための斜視図。
【図３】本実施形態に係るモニター用カバーの取り付け方法を説明するための図。
【図４】本実施形態に係るモニター用カバーの取り付け方法を説明するための図。
【図５】本実施形態に係るモニター用カバーの取付状態を説明するための図。
【発明を実施するための形態】
【００２８】
以下、本発明に係るモニター用カバーについて図面を参照しつつ説明する。なお、以下の実施の形態は、各請求項に係る発明を限定するものではなく、また、実施形態の中で説明されている特徴の組み合わせの全てが発明の解決手段に必須であるとは限らない。
【００２９】
図１は、本実施形態に係るモニター用カバーの使用状態を説明するための概略図であり、図２は、本実施形態に係るモニター用カバーの構成を説明するための斜視図であり、図３は、本実施形態に係るモニター用カバーの取り付け方法を説明するための図であり、図４は、本実施形態に係るモニター用カバーの取り付け方法を説明するための図であり、図５は、本実施形態に係るモニター用カバーの取付状態を説明するための図である。
【００３０】
図１に示すように、本実施形態に係るモニター用カバー１０は、手術室の清潔野に置かれたフレーム３に固定されたモニター１の少なくとも画面表示部２を覆うように取り付けられる。
【００３１】
なお、フレーム３は、モニター用カバー１０と同様の材質で構成されたフレーム用カバー２０を巻き回すことで、フレーム３を清潔野にすることができる。フレーム用カバー２０は、フレーム３の全周を巻き回すことができれば如何なる形状でも構わないが、フレーム３の長手方向の長さ程度の長さ寸法を有すると共にフレーム３の周方向の長さ以上の幅寸法に形成した帯状に形成すると好適である。なお、フレーム用カバー２０の固定は、内側に両面の粘着テープを貼着したフレーム用カバーの当該粘着テープを用いて固定することが好ましい。このとき、当該両面の粘着テープは、フレーム用カバーの長さ方向に施しても良いし、幅方向に施しても良いし、当該両方向を組み合わせても構わない。もしくは、フレーム用カバー２０の外周を滅菌した粘着テープ２１を用いて固定しても良く、上述したフレーム用カバー内側に両面の粘着テープを貼着したフレーム用カバーと当該粘着テープ２１を組み合わせればなお好適である。
【００３２】
図２に示すように、モニター用カバー１０は、モニター１に取り付けた際に画面表示部２に対向して該画面表示部２を覆う略矩形状の画面被覆部１１と、画面被覆部１１の各縁部から画面表示部２並びに画面被覆部１１と直交する方向に延設される複数の側面部１２を備える。
【００３３】
さらに隣り合う側面部１２，１２は、画面被覆部１１と略直交する方向に沿って形成されたヒートシール部１２ａを介して画面被覆部１１と略直交する方向に沿って互いに連続している。即ち、本実施形態に係るモニター用カバー１０は、画面被覆部１１を底辺とした場合に側面部の端縁が開口する有底箱状に形成されている。
【００３４】
モニター１に取り付けた際に画面被覆部１１に皺を生じさせないようにモニター用カバーを取り付けようとすると、通常は、側面部を画面被覆部１１に対して斜めに傾斜させて画面被覆部１１を底面とする略四角錐状に形成することが望ましいが、当該形状では、側面部の端縁に形成される開口面積が小さくなることから、モニターに取り付ける際の作業性に支障が生じる。特に、清潔者がモニター用カバー等の不潔な部分に触れることと不潔者がモニター用カバー等の清潔な部分に触れることは許されないため、開口面積が小さい場合に、例えば、モニター下端側にカバーを被覆するためには不潔者が画面裏側から手を伸ばしてカバーを受け取る必要があるが、このような作業は作業性に支障があるばかりでなく、モニター用カバー等の清潔な部分に触れるリスクがある。なお、滅菌済みカバー等の清潔な部分とは、滅菌済みカバー等を被覆した後の、清潔野に面した（滅菌済みカバー等の外側）画面被覆部１１及びその近傍部分であって且つ略腰より高い位置であり、その他の滅菌済みカバー等の内側や、外側であっても画面被覆部１１の略腰より低い位置及び側面部１２は滅菌済みカバー等の不潔な部分である。
【００３５】
したがって、本実施形態に係るモニター用カバー１０は、画面被覆部１１と略直交する方向に沿って形成されたヒートシール部１２ａを介して画面被覆部１１と略直交する方向に沿って互いに連続させることで、側面部１２の端縁の開口面積を確保してモニター１への取り付け作業を容易に行うことができるよう構成されている。このように側面部１２が画面被覆部１１に対して略直交する状態であれば、清潔者Ｃがモニター１に滅菌済みカバー１０を取り付ける際、まずモニター１の上側にモニター用カバー１０の上側半分を引掛けて、その後、不潔者Ｄがモニター用カバー１０を引っ張るように取り付け作業を行うが、このとき、モニター用カバー１０の上側半分がモニター１に引っ掛かっているので、不潔者Ｄが引っ張った場合であってもモニター用カバー１０がモニター１から落ちることを防止している。画面被覆部１１と側面部１２との角度は、鈍角であればあるほどモニター用カバー１０がモニター１に引っ掛からずに脱落するリスクが高くなる。さらには、画面被覆部１１と側面部１２とが略直交の状態において、さらに引っ掛かりやすく、且つカバー装着の作業性を向上させるために、ゴム紐の長さを調整し、開口面積を適したサイズに調整すると良い。具体的には開口面積を画面被覆部１１よりもやや小さい、画面被覆部１１の面積に対して７５％以上、９６％以下、より好ましくは８０％以上、９３％以下、好適は８５％以上、９０％以下に調整することができる。
【００３６】
また、側面部１２の端縁は、側面部１２の延設方向（画面被覆部１１と直交する方向）に沿って折り返されて端部が熱溶着１５´されて筒状袋部１５を構成している。この筒状袋部１５は、端縁部に沿って全周にわたって絞り部１３が挿通されている。さらに、筒状袋部１５は、絞り部１３の延設方向に沿って複数の開口部１４が形成されており、該開口部１４から絞り部１３を引き絞り自在に構成されている。
【００３７】
絞り部１３は、ゴム紐などの伸縮性のある部材が好適に用いられ、後述するフック４に引掛けた際に側面部１２の端縁部の開口を引き絞って画面被覆部１１に皺を生じないと共に、伸縮性を備えることでモニター１にモニター用カバー１０を取り付ける際の作業性を向上させている。
【００３８】
なお、モニター用カバー１０は、ポリエチレンテレフタラート、ポリアミド、ポリエチレン、ポリウレタン及びポリカーボネートなどから構成されると好適である。これらの材料でモニター用カバー１０を構成すれば、皮膚ペンなどの水性ペンで画面被覆部１１に書込みを行うことができるとともに、ガーゼなどで書込みを拭き取ることで容易に消去して書き直しを行うことができる。
【００３９】
このように構成されたモニター用カバー１０は、図３に示すように、まず、モニター１の上端にモニター用カバー１０の上端の側面部１２を引掛けた後、図４に示すように下端の側面部１２をモニター１の下端に引掛けるように取り付けて取付作業を行うことができる。この際、モニター１の画面表示部側は清潔野の看護師および手術助手（医師）等の清潔者Ｃが、モニター１の背面側は不潔野の看護師等の不潔者Ｄが行うことができる。なお、モニター１の上端にモニター用カバー１０の上端の側面部１２を引掛ける作業は、モニター用カバー１０の保管状態をモニター用カバー１０が画面被覆部１１の外側と、側面部１２の外側とが接するように折りたたまれた状態としておくことで、当該画面被覆部１１と側面部１２との間に清潔者Ｃが手を滑り込ませ、側面部１２を折り返すように引掛けると、清潔者Ｃが不潔になることなくモニター用カバー１０をモニター１に被覆することができる。このとき、不潔者Ｄがヒートシール部１２ａを摘まんで取付作業を容易に行うことができるように、ヒートシール部１２ａの面積を大きく構成することもできる。
【００４０】
さらに、図５に示すようにモニター１の背面部は、開口部１４から引き出された絞り部１３をフレーム３の任意の場所に取り付けられたフック４に引掛けることで固定されている。
【００４１】
また、この状態では側面部１２はモニター１の背面を全面にわたって覆っておらず、モニター１の背面は大部分が露出している。このように構成することで、モニター１の放熱を妨げることがない。
【００４２】
以上、本発明の好適な実施形態について説明したが、本発明の技術的範囲は上記実施形態の記載に限定されない。上記実施形態には、多様な変更又は改良を加えることが可能である。
【００４３】
本実施形態に係るモニター用カバーは、開口部１４を各側面部１２の両端側にそれぞれ一対ずつ形成した場合について説明を行ったが、開口部１４は側面部１２の如何なる場所に形成しても構わない。なお、開口部１４は、少なくともモニター１の上下に位置する各側面部１２の両端側に一対ずつ、計４カ所に形成すれば皺ができ難い。
【００４４】
また、画面被覆部１１の大きさはモニター１の画面表示部２と概略同等の大きさである場合について説明を行ったが、画面被覆部１１の大きさはモニター１に取り付けた際に、画面被覆部１１に皺が生じなければ適宜その大きさを変更しても構わない。なお、画面被覆部１１の大きさは、モニター１の画面面積を１００とした場合、１１５までが好ましく、１１０までがより好ましく、好適は１０７までの範囲である。モニター用カバー１０の画面被覆部１１とモニター１の画面の面積が同一もしくは小さい場合、被覆した際に空気が入ったまま抜けないで残ってしまう恐れがある。このため、画面被覆部１１の大きさは、皺が残らない程度に当該モニター１よりも少しだけ大きくすると好ましい。
【００４５】
また、本実施形態に係るモニター用カバーは、モニター１に取り付けた場合にモニター１とモニター用カバーの間に空気が封入してしまうことを防止するために、側面部１２や画面被覆部１１の画面表示部２と重畳しない箇所（画面端であって目立たない場所）にエア抜き用の逆止弁などを設けても構わない。
【００４６】
さらに、本実施形態に係るモニター用カバーは、フレーム用カバー２０を別体に形成した場合について説明を行ったが、モニター用カバー及び粘着テープと一体に構成しても構わない。その様な変更又は改良を加えた形態も本発明の技術的範囲に含まれ得ることが、特許請求の範囲の記載から明らかである。
【符号の説明】
【００４７】
１      モニター
２      画面表示部
３      フレーム
４      フック
１０    モニター用カバー
１１    画面被覆部
１２    側面部
１２ａ  ヒートシール部
１３    絞り部
１４    開口部
１５    筒状袋部
Ｃ      清潔野
Ｄ      不潔野
【図１】
2015192791.tif 000003
【図２】
2015192791.tif 000004
【図３】
2015192791.tif 000005
【図４】
2015192791.tif 000006
【図５】
2015192791.tif 000007